(57)【要約】      （修正有）【課題】各種のゆらぎ光を発光するようにしたＬＥＤを用いたゆらぎ発光灯及び照明灯を提供する。【解決手段】ＬＥＤと、軸体を介してＬＥＤを回転する回転手段と、ＬＥＤに電源部から電力を供給するためのスリップリングと、ＬＥＤを一体的に被包又は着脱可能に被包する被包体を有するものからなる。被包体が、半透明又は透明でＬＥＤに対して非対称又は対称に配設され、かつ被包体が同一色又は多色の組み合わせのものからなる。【選択図】図１
0003159685.tif 000002
【実用新案登録請求の範囲】
【請求項１】
回転手段に連結して回転する軸体の端部に前記軸体を被包する半透明又は透明の被包体を一体的に又は着脱可能に、かつ前記軸体に対して非対称に設けることを特徴とするゆらぎ発光灯。
【請求項２】
ＬＥＤと、軸体を介して前記ＬＥＤを回転する回転手段と、前記ＬＥＤに電源部からの電力を供給するためのスリップリングと、前記ＬＥＤを被包する被包体とを有し、該被包体が半透明又は透明のものからなり、かつ前記ＬＥＤに対して非対称に配設されることを特徴とするゆらぎ発光灯。
【請求項３】
ＬＥＤと、軸体を介して前記ＬＥＤを回転する回転手段と、前記ＬＥＤに電源部から電力を供給するためのスリップリングと、前記ＬＥＤを一体的に被包又は着脱可能に被包する被包体を有するものからなり、前記被包体が、半透明又は透明で前記ＬＥＤに対して非対称又は対称に配設され、かつ前記被包体が同一色又は多色の組み合わせのものからなることを特徴とするゆらぎ発光灯。
【請求項４】
前記被包体が、透明度の異なる組み合わせ体からなることを特徴とする請求項１乃至３のいずれかに記載のゆらぎ発光灯。
【請求項５】
前記被包体が、透明度の異なる又は同一の斜線の組み合わせ体からなることを特徴とする請求項１乃至３のいずれかに記載のゆらぎ発光灯。
【請求項６】
前記被包体が、その外面に反射体を有するものからなることを特徴とする請求項１乃至３のいずれかに記載のゆらぎ発光灯。
【請求項７】
前記反射体が、前記被包体の外面に沿って、かつ周方向に沿って複数列配設されることを特徴とする請求項６に記載のゆらぎ発光灯。
【請求項８】
前記被包体が、その外面に凹凸を有するものからなることを特徴とする請求項１乃至３のいずれかに記載のゆらぎ発光灯。
【請求項９】
前記ＬＥＤが回転手段の軸体に対して偏芯して配置されることを特徴とする請求項１乃至８のいずれかに記載のゆらぎ発光灯。
【請求項１０】
前記被包体が、内部につぶ状の空洞を設けたものからなることを特徴とする請求項１乃至９のいずれかに記載のゆらぎ発光灯。
【請求項１１】
前記請求項１乃至１０に記載のゆらぎ発光灯が別体の部材の照明であることを特徴とするゆらぎ照明灯。
【請求項１２】
前記の別体の部材が、ろうそく，行灯，暖炉，人工瀧，噴水，看板であることを特徴とする請求項１１に記載のゆらぎ照明灯。
【考案の詳細な説明】
【技術分野】
【０００１】
本考案は、発光灯や他の部材の照明に用いられる照明灯に係り、特に各種形態のゆらぎを発生するゆらぎ発光灯及び照明灯に関する。
【背景技術】
【０００２】
発光灯や照明灯としては各種のものが、通常は単純で一定の光を発するものが殆どである。一方、光の種類としてゆらぎ光がある。このゆらぎ光は振動する光からなり、その形態としては学術的に一定の波長や振幅等を有するものであるが、それに限らず、ゆれのある波状の発光をするものも含まれる。
人間等がこのゆらぎ光を見ると不思議に心が平安となり、楽なよい気分となる状態に保持されることが経験上証明されている。勿論、何等かの学術的や医学的の根拠もあると思うが、よい気分になることは間違いない。よって、発光灯や照明灯としてはこのゆらぎを用いたものが数多く開示され、その従来技術として「特許文献１」や「特許文献２」が挙げられる。
【先行技術文献】
【特許文献】
【０００３】
【特許文献１】登録実用新案第３０３４７４４号（図１）
【特許文献２】特開２０００−２４５６１７号（図１）
【考案の概要】
【考案が解決しようとする課題】
【０００４】
「特許文献１」の「実用新案登録第３０３４７４４号」の「ゆらぎ電球」は電球内部に電子回路やＬＥＤ発光部を具備するものであり、この電子回路にゆらぎを発生させる回路を形成したものである。用途としては献灯籠や常夜灯等に使用されている。
また、「特許文献２」の「特開２０００−２４５６１７号」の「ゆらぎ発光体を有する神仏見」は「信仰体」の周りにある「ローソク」にＬＥＤを用いたゆらぎ灯を配置したものであるが、このゆらぎ灯としてはＬＥＤに光を送る電子回路内にゆらぎを発生させるＲＯＭを設けたものである。
【０００５】
以上のように、従来技術としてはゆらぎを発生させる発光灯は色々と存在するが、これ等はすべて電子回路にゆらぎ発生の回路を設けたものであり、後に説明する本願の考案のように特別な形態の被包体を用いるものではなく、従来の公知技術としても本考案の如きものは見当らない。
【０００６】
本考案は、以上の事情に鑑みて考案されたものであり、特別な電子回路を用いずに、ＬＥＤや被包体の配置と形状の工夫によってゆらぎ光を発生させると共に、この発光を他の部材の照明として用いるゆらぎ発光灯及び照明灯を提供することを目的とする。
【課題を解決するための手段】
【０００７】
本考案は、以上の目的を達成するために、請求項１の考案は、回転手段に連結して回転する軸体の端部に前記軸体を被包する半透明又は透明の被包体を一体的に又は着脱可能に、かつ前記軸体に対して非対称に設けることを特徴とする。
【０００８】
また、請求項２の考案は、ＬＥＤと、軸体を介して前記ＬＥＤを回転する回転手段と、前記ＬＥＤに電源部からの電力を供給するためのスリップリングと、前記ＬＥＤを被包する被包体とを有し、該被包体が半透明又は透明のものからなり、かつ前記ＬＥＤに対して非対称に配設されることを特徴とする。
【０００９】
また、請求項３の考案は、ＬＥＤと、軸体を介して前記ＬＥＤを回転する回転手段と、前記ＬＥＤに電源部から電力を供給するためのスリップリングと、前記ＬＥＤを一体的に被包又は着脱可能に被包する被包体を有するものからなり、前記被包体が、半透明又は透明で前記ＬＥＤに対して非対称又は対称に配設され、かつ前記被包体が同一色又は多色の組み合わせのものからなることを特徴とする。
【００１０】
また、請求項４の考案は、前記被包体が、透明度の異なる組み合わせ体からなることを特徴とする。
【００１１】
また、請求項５の考案は、前記被包体が、透明度の異なる又は同一の斜線の組み合わせ体からなることを特徴とする。
【００１２】
また、請求項６の考案は、前記被包体が、その外面に反射体を有するものからなることを特徴とする。
【００１３】
また、請求項７の考案は、前記反射体が、前記被包体の外面に沿って、かつ周方向に沿って複数列配設されることを特徴とする。
【００１４】
また、請求項８の考案は、前記被包体が、その外面に凹凸を有するものからなることを特徴とする。
【００１５】
また、請求項９の考案は、前記ＬＥＤが回転手段の軸体に対して偏芯して配置されることを特徴とする。
【００１６】
また、請求項１０の考案は、前記被包体が、内部につぶ状の空洞を設けたものからなることを特徴とする。
【００１７】
また、請求項１１の考案は、前記請求項１乃至８に記載のゆらぎ発光灯が別体の部材の照明であることを特徴とする。
【００１８】
また、請求項１２の考案は、前記の別体の部材が、ろうそく，行灯，暖炉，人工瀧，噴水，看板であることを特徴とする。
【考案の効果】
【００１９】
本考案の請求項１のゆらぎ発光灯によれば、回転する被包体を軸体に対して非対称に取り付けることにより被包体からの反射光にゆらぎが生じる効果が上げられる。
【００２０】
また、請求項２のゆらぎ発光灯によれば、ＬＥＤを有する被包体を非対称に設けることにより、その回転によりゆらぎ光を発光することができる。
【００２１】
また、請求項３のゆらぎ発光灯によれば、ＬＥＤと同一色又は多数色の被包体とを一体的に回転させ、又、ＬＥＤと被包体とを非対称にすることにより、より複雑なゆらぎ光を発光させることができる。また、被包体をＬＥＤに対して着脱可能に形成することに所望のゆらぎを発光する発光灯を形成することが容易にできる。
【００２２】
また、請求項４のゆらぎ発光灯によれば、被包体を透明度の異なるものにすることにより更に複雑で変化に豊んだゆらぎを発光する発光灯にすることができる。
【００２３】
また、請求項５のゆらぎ発光灯によれば、透明度の異なる斜線を被包体に設けることにより上昇光を形成するゆらぎ光を発光させることができる。
【００２４】
また、請求項６のゆらぎ発光灯によれば、被包体の外面に反射体を設けることにより、外部の明るい時にゆらぎ光を発光させることができる。
【００２５】
また、請求項７のゆらぎ発光灯によれば、前記反射光を複数列配置することにより、より複雑で変化のあるゆらぎ光を発光させることができる。
【００２６】
また、請求項８のゆらぎ発光灯によれば、被包体の外面に凹凸を設けることにより更に複雑で変化に豊んだゆらぎ光を発光させることができる。
【００２７】
また、請求項９のゆらぎ発光灯によれば、ＬＥＤが軸体と偏芯して配置され、かつ被包体がＬＥＤに対して非対象に配置されているためより複雑なゆらぎ形態を発生させることができる。
【００２８】
また、請求項１０のゆらぎ発光灯によれば被包体内につぶ状の空洞が設けられることにより光の反射や屈折が生じ、より複雑なゆらぎ形態を発生させることができる。
【００２９】
また、請求項１１のゆらぎ照明灯によれば、ゆらぎ発光灯を他の別体の部材の照明光とすることができるためその使用の拡大を図ることができる。
【００３０】
また、請求項１２のゆらぎ照明灯によれば、この照明灯を色々な部材の照明光として利用でき、使用の拡大が図れる。
【図面の簡単な説明】
【００３１】
【図１】本考案の箱体状のゆらぎ発光灯の全体構造を示す断面図。
【図２】細長なゆらぎ発光灯の全体構造を示す断面図。
【図３】ＬＥＤ対して非対称に配置されている被包体を有するゆらぎ発光灯の部分断面図。
【図４】ＬＥＤに対して非対称に配置されると共に外面が非対称に形成されている被包体を有するゆらぎ発光灯の部分断面図。
【図５】多色の被包体を有するゆらぎ発光灯の部分断面図。
【図６】透明度の異なる部分のある被包体を有するゆらぎ発光灯の部分断面図。
【図７】透明度の異なる又は同一の斜線を組み合わせた形態からなるゆらぎ発光灯の部分断面図。
【図８】反射体を外面に形成する被包体を有するゆらぎ発光灯の部分断面図。
【図９】外面に凹凸を形成する被包体を有するゆらぎ発光灯の部分断面図。
【図１０】ＬＥＤに対して着脱可能の被包体を有するゆらぎ発光灯の部分断面図。
【図１１】ＬＥＤが軸体に対して偏芯して配置されるゆらぎ発光灯の部分断面図。
【図１２】被包体の内部につぶ状の空洞のあるゆらぎ発光灯の部分断面図。
【図１３】ゆらぎ発光灯を暖炉の照明灯に利用した状態を示す模式図。
【図１４】ゆらぎ発光灯を人工瀧の照明灯に利用した状態を示す模式図。
【考案を実施するための形態】
【００３２】
以下、本考案のゆらぎ発光灯及び照明灯の実施の形態を図面を参照して詳述する。
【実施例１】
【００３３】
図１及び図２に示すように、本考案のゆらぎ発光灯１００は、軸体７と、この端部に設けられているＬＥＤ１と、軸体７を回転駆動する回転手段２と、電源部３からＬＥＤ１に電力を送るためのスリップリング４と、回転手段２や電源部３やスリップリング４を収納する箱体６と、ＬＥＤ１を被包する被包体５等とからなる。なお、図１は箱状のものからなり、図２は細長で「ろうそく」状のものからなる。この被包体５は後に説明するように各種の形態のものからなるが、半透明又は透明のものからなり、ＬＥＤ１に対して非対称に配置されるが被包体５の形態により対称のものも形成される。また、被包体５の形態によりＬＥＤ１がなく、軸体７を被包する形状のものであってもよい。
【実施例２】
【００３４】
図３はＬＥＤ１に対して非対称の被包体５Ａを設けたものであり、この実施例では被包体５Ａは円滑な曲面形状のものからなる。
【実施例３】
【００３５】
図４はＬＥＤ１に対して非対称に配置されている被包体５Ｂを有するものであるが、この被包体５Ｂは任意の非対称の曲面形状のものからなる。
【実施例４】
【００３６】
図５は被包体５Ｃに色違いの部分を形成したものからなる。図において５ａは黄色，５ｂは橙色，５ｃは青色からなる。なお、色やその種類は前記の内容に限定するものではない。
【実施例５】
【００３７】
図６は透明度の異なる部分を形成した被包体５Ｄを示すもので５ｄは透明度が強く、５ｅは透明度が弱いものからなる。
【実施例６】
【００３８】
図７は透明度の異なる斜線部を形成する被包体５Ｅを示す。５ｆは透明度が強く５ｇは透明度が弱いものからなる。この被包体５Ｅを回転すると光が上昇しながらゆらぐような光ができることが確認されている。
【実施例７】
【００３９】
図８は反射体５ｈを外面に形成した被包体５Ｆを示すもので、回転により反射光がでるものであり、図８ではＬＥＤ１が配置されているが、ＬＥＤ１がなくてもゆらぎ光ができることが確認されている。
【実施例８】
【００４０】
図９は外面に凹凸５ｉを設けた被包体５Ｇを示す。凹凸５ｉの形状は任意のものでよく、これにより複雑なゆらぎ光を発光することができる。
【実施例９】
【００４１】
被包体５はＬＥＤ１に対して固定的のものでもよいが、着脱可能にすることにより、各種形態のゆらぎ光を所望の要望に対応して作ることができる。図１０は着脱可能の被包体５Ｈの１つの実施例を示すものである。被包体５Ｈの下方側にはＬＥＤ１側に嵌り込む弾性部材８が設けられている。この弾性部材８の伸縮機能を用いることにより被包体５ＨをＬＥＤ１に着脱可能に装着することができる。
【実施例１０】
【００４２】
図１１は回転手段２の軸体７に対してＬＥＤ１が偏芯して配置されるゆらぎ発光灯１００を示す。この形態により軸体７に対しＬＥＤ１や被包体５Ｉが偏芯して配置されるため、より複雑なゆらぎ形態を形成することができる。
【実施例１１】
【００４３】
図１２は被包体５Ｊがその内部につぶ状の空洞１１を形成するゆらぎ発光灯１００を示す。このつぶ状の空洞１１の存在により光の反射や屈折が生じ、より複雑なゆらぎ形態を形成することができる。
【実施例１２】
【００４４】
図１３，図１４は以上の構造のゆらぎ発光灯１００を他の部材の照明灯としたゆらぎ照明灯２００を示す。
図１３は目視用の暖炉９の明りとして複数のゆらぎ照明灯２００を配置したものである。このゆらぎ照明灯２００からのゆらぎ光を同一又は変化させることにより、ゆらぎのある暖炉を実現することができる。
また、図１４は人工瀧１０の背面にゆらぎ照明灯２００を配置したものであり、人工瀧１０がゆらいでいるように観察される。この実施例では目視用の暖炉９や人工瀧１０へのゆらぎ照明灯２００を設けるものとしたが、別体の部材としてはこれ等に限定するものではなく、例えば行灯や噴水や看板等にも適用される。
【００４５】
本考案のゆらぎ発光灯１００やゆらぎ照明灯２００としては以上の説明の内容に限定するものではなく同一技術的範疇のものが適用されることは勿論である。
【産業上の利用可能性】
【００４６】
本考案は、発光灯や照明灯のゆらぎ形態のものについて適用されるものであるが、ＬＥＤの形態や数や被包体の形態や色彩等は各種のものでよく、その利用範囲は広い。
【符号の説明】
【００４７】
１      ＬＥＤ
２      回転手段
３      電源部
４      スリップリング
５      被包体
５Ａ    被包体
５Ｂ    被包体
５Ｃ    被包体
５Ｄ    被包体
５Ｅ    被包体
５Ｆ    被包体
５Ｇ    被包体
５Ｈ    被包体
５Ｉ    被包体
５Ｊ    被包体
５ａ    黄色
５ｂ    橙色
５ｃ    青色
５ｄ    透明度強
５ｅ    透明度弱
５ｆ    透明度強
５ｇ    透明度弱
５ｈ    反射体
５ｉ    凹凸
６      箱体
７      軸体
８      弾性部材
９      暖炉
１０    人工瀧
１１    つぶ状の空洞
１００  ゆらぎ発光灯
２００  ゆらぎ照明灯
【図１】
0003159685.tif 000003
【図２】
0003159685.tif 000004
【図３】
0003159685.tif 000005
【図４】
0003159685.tif 000006
【図５】
0003159685.tif 000007
【図６】
0003159685.tif 000008
【図７】
0003159685.tif 000009
【図８】
0003159685.tif 000010
【図９】
0003159685.tif 000011
【図１０】
0003159685.tif 000012
【図１１】
0003159685.tif 000013
【図１２】
0003159685.tif 000014
【図１３】
0003159685.tif 000015
【図１４】
0003159685.tif 000016
【手続補正書】
【提出日】平成22年3月12日(2010.3.12)
【手続補正１】
【補正対象書類名】実用新案登録請求の範囲
【補正対象項目名】請求項９
【補正方法】変更
【補正の内容】
【請求項９】
前記ＬＥＤが回転手段の軸体に対して偏芯して配置されることを特徴とする請求項２又は請求項３に記載のゆらぎ発光灯。